(57)【特許請求の範囲】
【請求項１】
ディスプレイパネルと、
第１内部ビデオを提供するディスプレイチップと、
外部ビデオを受信するとともに、前記外部ビデオのフォーマットを第２内部ビデオに変換するパネルコントローラと、
前記ディスプレイパネル、前記ディスプレイチップ、及び前記第１内部ビデオと前記第２内部ビデオを受信する前記パネルコントローラのそれぞれに接続され、内部命令を受け、該内部指示に沿って、前記第１内部ビデオまたは前記第２内部ビデオを切換えて前記パネルコントローラへ出力するビデオ切換えデバイスと、
ビデオＩ／Ｏデバイスと、
前記ディスプレイチップと前記ビデオＩ／Ｏデバイスとにそれぞれ接続され、前記ディスプレイチップにより提供される出力ビデオ信号と内部命令を受けて、該内部命令に基づいて前記出力ビデオ信号を前記ビデオＩ／Ｏデバイスへ出力するＩ／Ｏ切換えデバイスと、
を備えたことを特徴とする、外部ビデオ信号表示機能と統合された携帯デバイス。
【請求項２】
オーディオ出力デバイスと、
外部オーディオを受信するオーディオ入力インターフェイスと、
それぞれ前記オーディオ出力デバイスおよび前記オーディオ入力インターフェイスに連結して、内部オーディオおよび前記外部オーディオを受信するオーディオ切換えデバイスと、を更に含み、
前記オーディオ切換えデバイスは、前記内部命令に基づいて前記内部オーディオまたは前記外部オーディオのいずれかを前記オーディオ出力デバイスに出力するかどうかを決定する請求項１記載の携帯デバイス。
【請求項３】
前記内部オーディオは、サウンドエンコーダ/デコーダにより発生される請求項２記載の携帯デバイス。
【請求項４】
外部ビデオを受信するビデオ入力インターフェイスと、
ディスプレイパネルと、
内部ビデオを出力するディスプレイチップと、
前記ビデオ入力インターフェイスと前記ディスプレイパネルと前記ディスプレイチップにそれぞれ接続され、前記内部ビデオ、前記外部ビデオ及び内部命令を受信するとともに、ビデオ切換えデバイスが前記内部命令に基づいて前記内部ビデオまたは前記外部ビデオを前記ディスプレイパネルへ出力するパネルコントローラと、を備えたことを特徴とする、外部ビデオ信号表示機能と統合された携帯デバイス。
【請求項５】
オーディオ出力デバイスと、
外部オーディオを受信するオーディオ入力インターフェイスと、
前記オーディオ出力デバイスおよび前記オーディオ入力インターフェイスにそれぞれ接続され、内部オーディオおよび前記外部オーディオを受信するオーディオ切換えデバイスとを更に含み、
前記オーディオ切換えデバイスは、前記内部命令に基づいて前記内部オーディオまたは前記外部オーディオのいずれかを前記オーディオ出力デバイスに出力するかどうかを決定する請求項４記載の携帯デバイス。
【請求項６】
ビデオＩ/Ｏデバイスと、
前記ディスプレイチップおよび前記ビデオＩ/Ｏデバイスにそれぞれ接続され、前記ディスプレイチップにより提供された出力ビデオ信号および前記内部命令を受信して、前記内部命令に基づき前記出力ビデオ信号を前記ビデオＩ/Ｏデバイスへ出力するＩ/Ｏ切換えデバイスと、
を更に含む請求項４記載の携帯デバイス。
【請求項７】
外部ビデオを受信するビデオ入力インターフェイスと、
ディスプレイパネルと、
前記ビデオ入力インターフェイスおよび前記ディスプレイパネルに接続され、前記外部ビデオを受信し、前記外部ビデオのフォーマットを変換し、その後フォーマットを変換された前記外部ビデオを前記ディスプレイパネルへ出力するパネルコントローラと、
を含むことを特徴とする外部ビデオ信号表示機能と統合された携帯デバイス。
【請求項８】
第１内部ビデオを提供するディスプレイチップと、
前記ディスプレイチップと前記パネルコントローラと前記ディスプレイパネルとにそれぞれ接続されて、前記第１内部ビデオおよび変換されたフォーマットの前記外部ビデオを受信するビデオ切換えデバイスとを更に含み、
前記ビデオ切換えデバイスは、内部命令を受信するとともに、前記内部命令に基づいて前記内部ビデオまたは前記フォーマットが変換された外部ビデオを前記ディスプレイパネルに出力する請求項７記載の携帯デバイス。
【請求項９】
ビデオＩ/Ｏデバイスと、
前記ディスプレイチップおよび前記ビデオＩ/Ｏデバイスにそれぞれ接続され、前記ディスプレイチップにより提供された出力ビデオ信号および前記内部命令を受信して、前記内部命令に基づいて前記出力ビデオ信号を前記ビデオＩ/Ｏデバイスへ出力できるＩ/Ｏ切換えデバイスと、
を更に含む請求項８記載の携帯デバイス。
【発明の詳細な説明】
【技術分野】
【０００１】
本発明は、携帯デバイスに関し、特に、外部ビデオ信号表示機能と統合された携帯デバイスに関する。
【背景技術】
【０００２】
最近は、電子デバイスがコミュニケーション、スケジュール管理または文書処理のような多様なイベントを処理するために常用されている。技術の発展に伴い、電子デバイスの設計は、小型化および高携帯性に向かっている。携帯デバイスとは、ノートブックコンピュータのような持ち運び可能な電子デバイスのことである。
【０００３】
近年では、ノートブックコンピュータのコストが次第に低減され、その性能がデスクトップコンピュータに追いつきつつあるために、ノートブックコンピュータがデスクトップコンピュータに取って代わる傾向がある。いくつかの発展途上国では、ノートブックコンピュータの市場がデスクトップコンピュータのそれよりも一層急速に成長している。ノートブックコンピュータは、両者の価格が均衡化され、その性能が近似している状況においてデスクトップコンピュータに取って代わろうとしている。
【０００４】
家庭内娯楽用デジタル技術の向上に伴って、ノートブックコンピュータは外部ビデオ入力を支援し始めている。しかしながら、既存のノートパソコンは、480pまたは480iの標準定義（standard definition=SD）だけしか支援することができない。通常、前記のノートブックコンピュータは、ＡＶ端子またはＳ端子を介して外部ＳＤビデオを受信した後、ビデオデコーダでＳＤビデオにデコードする。
【発明の開示】
【発明が解決しようとする課題】
【０００５】
今日の市場において、多くのビデオ／オーディオプレーヤー（例えば、高解像度ＤＶＤプレーヤー）、電子ゲームコンソール（例えば、ＸＢＯＸ３６０，ＰＳ３）またはデジタルカメラ（例えば、ＳＯＮＹ ＨＤＲ−ＨＣ３）が、高解像度マルチメディアインターフェイス（high definition multimedia interface=HDMI）およびデジタルビジュアルインターフェイス（digital visual interface=DVI）のような高解像度ビデオ出力インターフェイスを備え始めている。しかしながら、今日まで前記インターフェイスを支援できるノートブックコンピュータが依然として存在していない。
【０００６】
（発明の目的）
従来技術の問題を解決するため、本発明は、外部ビデオ信号表示機能と統合された携帯デバイスを提供することを目的とする。
【課題を解決するための手段】
【０００７】
本発明は、外部ビデオ信号表示機能と統合された携帯デバイスを提供する。携帯デバイスは、ディスプレイパネルと、ディスプレイチップと、パネルコントローラと、ビデオ切換えデバイスを含むものである。ディスプレイチップが、第１内部ビデオを提供する。パネルコントローラが、外部ビデオを受信し、そのフォーマットを第２内部ビデオに変換する。ビデオ切換えデバイスが、それぞれディスプレイパネル、ディスプレイチップおよびパネルコントローラに連結され、第１内部ビデオおよび第２内部ビデオを受信する。ビデオ切換えデバイスが、更に内部命令を受信し、その内部命令に基づいて第１内部ビデオまたは第２内部ビデオをディスプレイパネルに出力する。このようにして、携帯デバイスのディスプレイパネルが外部から入力された高解像度表示信号を表示することができる。従って、携帯デバイスをモニターとして使用することができる。
【０００８】
本発明の典型的実施形態において、携帯デバイスは、更にオーディオ出力デバイスと、オーディオ入力インターフェイスと、オーディオ切換えデバイスとを含むものである。オーディオ入力インターフェイスが、外部オーディオを受信する。オーディオ切換えデバイスが、それぞれオーディオ入力インターフェイスおよびオーディオ出力デバイスに連結され、サウンドエンコーダ/デコーダにより提供される内部オーディオおよび外部オーディオを受信し、オーディオ切換えデバイスが、内部命令に基づいて内部オーディオまたは外部オーディオのいずれかをオーディオ出力デバイスに出力するかどうかを決定する。
【０００９】
本発明の典型的実施形態の携帯デバイスにおいて、内部命令が、組み込み型コントローラまたはサウスブリッジチップにより提供される。典型的実施形態中、外部オーディオインターフェイスが、ステレオ入力インターフェイスであることができる。外部ビデオが、ＨＤＭＩ信号、ＤＶＩ信号、ＲＧＢ信号またはＹＰｂＰｒ信号であることができ、第１内部ビデオおよび第２内部ビデオのフォーマットが、低電圧差動信号（low voltage differential signal=LVDS）フォーマットである。サウンドエンコーダ/デコーダが、ＡＣ９７エンコーダ/デコーダまたはＨＤオーディオエンコーダ/デコーダであることができる。
【００１０】
本発明の典型的実施形態において、携帯デバイスが、更に、ビデオＩ/ＯデバイスおよびＩ/Ｏ切換えデバイスを含むものである。Ｉ/Ｏ切換えデバイスが、それぞれディスプレイチップおよびビデオＩ/Ｏデバイスに連結され、ディスプレイチップにより提供された出力ビデオ信号および内部命令を受信するので、Ｉ/Ｏ切換えデバイスが、内部命令に基づいて出力ビデオ信号をビデオＩ/Ｏデバイスに出力することができる。
【００１１】
本発明の一形態は、ビデオ入力インターフェイスと、ディスプレイパネルと、ディスプレイチップと、パネルコントローラとを含む携帯デバイスを提供する。ビデオ入力インターフェイスが、外部ビデオを受信する。ディスプレイチップが、内部ビデオを出力する。パネルコントローラが、それぞれビデオ入力インターフェイスと、ディスプレイパネルと、ディスプレイチップとに連結され、内部ビデオおよび外部ビデオを受信する。ビデオ切換えデバイスが、内部命令を受信し、内部命令に基づいて内部ビデオまたは外部ビデオをディスプレイパネルに出力する。
【００１２】
本発明の一形態は、外部ビデオ信号表示機能と統合された携帯デバイスを提供する。携帯デバイスは、ビデオ入力インターフェイスと、ディスプレイパネルと、パネルコントローラとを含む。ビデオ入力インターフェイスが、外部ビデオを受信する。パネルコントローラが、ビデオ入力インターフェイスおよびディスプレイパネルに連結し、外部ビデオを受信する。パネルコントローラが、外部ビデオのフォーマットを変換した後、フォーマットの変換された外部ビデオをディスプレイパネルに出力する。
【００１３】
本発明の一形態において、パネルコントローラが、携帯デバイスに内蔵され、パネルコントローラが、外部から入力される高解像度ビデオ信号を受信できるので、携帯デバイスをモニターとして使用することができ、そのディスプレイパネルを介して外部から入力される高解像度ビデオ信号を表示することができる。本発明の幾つかの実施形態中、パネルコントローラが、更に、外部および内部ビデオから入力される高解像度ビデオ信号を受信および統合し、パネルコントローラが、そのディスプレイパネル上で画面内に画面（picture in picture=PIP）をまたは画面上に画面（picture on picture=POP）を表示する。従って、本発明の携帯デバイス、例えば、ノートブックコンピュータが、ＴＶまたは従来のデスクトップコンピュータのスクリーンに取って代わることができる。
【発明の効果】
【００１４】
本発明の典型的実施形態において、外部高解像度ビデオ信号を受信できるパネルコントローラが携帯デバイスに内蔵されるので、携帯デバイスが外部から入力される高解像度ビデオ信号を表示するモニターとして使用されることができる。更に、本発明の典型的実施形態に従い、携帯デバイスが、ＰＩＰまたはＰＯＰ方式で表示することによって、それ自身により発生される内部ビデオおよび外部から入力される高解像度ビデオ信号を同時に表示することができる。従って、本発明が提供する携帯デバイスは、現行のテレビまたは従来のデスクトップコンピュータのモニターに取って代わることができる。
【発明を実施するための最良の形態】
【００１５】
図１は、本発明の第１典型的実施形態に係る携帯デバイスの機能ブロック図である。本実施形態において、携帯デバイスがノートブックコンピュータであり、他の実施形態において、携帯デバイスがパームトップコンピュータ、タブレットＰＣ、ウルトラモバイルＰＣ（ultra mobile personal computer=UMPC）パーソナルデジタルアシスタント（personal digital assistant=PDA）または携帯電話であることができる。
【００１６】
図１中、携帯デバイスが、ディスプレイパネル１００と、ディスプレイチップ１０１と、パネルコントローラ１０２と、ビデオ切換えデバイス１０３とを含むものである。ビデオ切換えデバイス１０３が、それぞれディスプレイパネル１００と、ディスプレイチップ１０１と、パネルコントローラ１０２とに連結する。
【００１７】
ディスプレイチップ１０１が、出力インターフェイス１０１１を有して、ノートブックコンピュータの内部ビデオＩＶＳを出力し、その出力ビデオフォーマットが、例えば、ディスプレイパネル１００にとって許容可能な低電圧差動信号（low voltage differential signal=LVDS）フォーマットである。パネルコントローラ１０２が、入力インターフェイス１０２１および出力インターフェイス１０２２を有し、そのうち、入力インターフェイス１０２１が、外部ビデオＯＶＳを受信する。本実施形態中、外部ビデオＯＶＳが、ＨＤＭＩ信号であるが、他の実施形態中、外部ビデオＯＶＳが、ＤＶＩ信号、ＲＧＢ信号、ＹＰｂＰｒ信号または他の高解像度のビデオ信号であることができる。パネルコントローラ１０２が、ＨＤＭＩ信号を受信し、それをディスプレイパネル１００にとって許容可能なＬＶＤＳフォーマットの第２内部ビデオに変換する。
【００１８】
ビデオ切換えデバイス１０３が、第１ビデオインターフェイス１０３１と、第２ビデオインターフェイス１０３２と、ビデオ出力インターフェイス１０３３とを有する。ビデオ切換えデバイス１０３の第１ビデオインターフェイス１０３１が、ディスプレイチップ１０１の出力インターフェイス１０１１に連結され、ディスプレイチップ１０１により出力される内部ビデオＩＶＳを受信する。ビデオ切換えデバイス１０３の第２ビデオインターフェイス１０３２が、パネルコントローラ１０２の出力インターフェイス１０２２に連結され、パネルコントローラ１０２により提供される外部ビデオＯＶＳを受信する。ビデオ切換えデバイス１０３のビデオ出力インターフェイス１０３３が、ディスプレイパネル１００に連結される。ビデオ切換えデバイス１０３が、内部命令に基づいてディスプレイパネル１００が第１ビデオインターフェイス１０３１からの信号または第２ビデオインターフェイス１０３２からの信号のいずれを受信するかを決定する。即ち、ビデオ切換えデバイス１０３が、内部命令ＩＴに基づいて内部ビデオＩＶＳまたはフォーマットを変換された外部ビデオＯＶＳ（ここでは、フォーマットを変換された外部ビデオＯＶＳを第２内部ビデオとすることもできる）のいずれをディスプレイパネル１００に出力するかを決定する。
【００１９】
前記内部命令は、携帯デバイスのデフォルトファンクションキーを押下することにより発生させることができるが、他の実施形態中、内部命令は、キーの組み合わせを押下する（即ち、同時または連続して複数のキーを押下する）または携帯デバイス上のアプリケーションソフトウェアを実行することにより発生させることもできる。
【００２０】
例として上記される実施形態において、ノートブックコンピュータがモニターとして使用される時、本実施形態中の携帯デバイス（ノートブックコンピュータ）が２つの電源供給モード、即ちノーマルモードおよび省電モードで使用できる。ノーマル電源供給モードでは、電力が携帯デバイスシステム全てのデバイス、例えば、ディスプレイパネル、ＣＰＵ、ディスプレイチップ、チップセット、メモリーおよびハードディスクに供給される。省電モードでは、外部高解像度ビデオ信号を表示するための基板にのみ電力が供給され、例えば、ディスプレイパネルと、パネルコントローラと、ビデオ切換えデバイスとにのみ電力が供給される。従って、ノートブックコンピュータのディスプレイパネルが、高解像度ＤＶＤプレーヤーまたは電子ゲームコンソールにより出力されるイメージを再生することに使用することができる。
【００２１】
ここで、ユーザーが高解像度ＤＶＤプレーヤーまたは電子ゲームコンソールの信号ケーブルをノートブックコンピュータのビデオ入力端子に指し込んだ後、パネルコントローラ１０２の入力インターフェイス１０２１がビデオ入力端子を介して外部から入力される外部ビデオＯＶＳを受信することができる。続いて、ユーザーがノートブックコンピュータのファンクションキーを押下し、ビデオ切換えデバイス１０３が内部命令ＩＴを受信し、ビデオ信号経路切換えを行うが、例えば、ビデオ切換えデバイス１０３を介してディスプレイパネル１００に電気接続されたディスプレイチップ１０１の信号経路がビデオ切換えデバイス１０３を介してディスプレイパネル１００に電気接続されたパネルコントローラ１０２の信号経路に切換えられ、外部ビデオＯＶＳをパネルコントローラ１０２およびビデオ切換えデバイス１０３を介してディスプレイパネル１００に送信することができる。従って、本実施形態中のノートブックコンピュータがモニターの機能を実現または高解像度ＴＶに取って代わることができる。
【００２２】
更に、上記実施形態中、操作は、ノートブックコンピュータのファンクションキーを押下することにより行われるので、当業者であれば本実施形態を参照することによりノートブックコンピュータの電源をオンとせずにモニターとしてノートブックコンピュータを使用する機能を実現することができるので、ノートコンピュータの電力消費を減少させることができる（省電モード）。もちろん、他の実施形態中、ノートブックコンピュータがノーマル電源供給モードで動作して前記表示切換えを行うこともできる。
【００２３】
図２Ａは、本発明の第２典型的実施形態に係る携帯デバイスの機能ブロック図である。図２Ａにおいて、同様に、ノートブックコンピュータが携帯デバイスの例として使用される。ノートブックコンピュータがディスプレイパネル２００と、ディスプレイチップ２０１と、ビデオ入力インターフェイス２０２と、パネルコントローラ２０３とを含むものである。ビデオ入力インターフェイス２０２が外部ビデオＯＶＳを受信するが、ここでは、同様に、ＨＤＭＩ（high definition multimedia interface=HDMI）ビデオが外部ビデオの例として使用される。ディスプレイチップ２０１が内部ビデオＩＶＳを出力するが、ここでは、典型的なＲＧＢフォーマット信号が、内部ビデオＩＶＳの例として使用される。パネルコントローラ２０３が第１入力インターフェイス２０３１と、第２入力インターフェイス２０３２と、出力インターフェイス２０３３とを有し、そのうち、第１入力インターフェイス２０３１がビデオ入力インターフェイス２０２に連結されて、外部ビデオＯＶＳを受信し、第２入力インターフェイス２０３２がディスプレイチップ２０１に連結されて、内部ビデオＩＶＳを受信し、外部インターフェイス２０３３が、ディスプレイパネル２００に連結される。パネルコントローラ２０３が、内部命令ＩＴに基づいて外部ビデオＯＶＳ（ＨＤＭＩ）または内部ビデオＩＶＳ（ＶＧＡ信号）を出力信号として選択してディスプレイパネル２００の駆動チップに送信することができる。
【００２４】
図１の実施形態と図２Ａの実施形態との相違は、図２Ａに示される実施形態において、パネルコントローラ２０３が内部ビデオＩＶＳおよび外部ビデオＯＶＳを同時に受信し、ディスプレイパネル２００が内部命令ＩＴに基づいて外部ビデオＯＶＳまたは内部ビデオＩＶＳのいずれを表示するかを決定することである。ユーザーがノートブックコンピュータを高解像度ＤＶＤプレーヤーまたは電子ゲームコンソールのモニターとして使用したい時、ユーザーが、ノートブックコンピュータのファンクションキーを押下することで、ノートブックコンピュータがファンクションキーにより発生する信号を内部命令ＩＴに変換することができる。続いて、パネルコントローラ２０３が内部命令ＩＴを受信した後、パネルコントローラ２０３が外部ビデオＯＶＳをディスプレイパネル２００により許容可能なＬＶＤＳフォーマットに変換し、ディスプレイパネル２００が外部ビデオＯＶＳを表示することができる。
【００２５】
更に、パネルコントローラ２０３は、通常、現行技術中のスケーラＩＣ（scaler IC）で提供される。現行の高レベルスケーラＩＣを例とすると、スケーラＩＣは、通常、画面内の画面（picture in picture=PIP）または画面上の画面（picture on picture=POP）機能を支援し、そのようなスケーラＩＣは、通常、内蔵フレームバッファに配置される。他の実施形態中、パネルコントローラ２０３は、ＰＩＰまたはＰＯＰ機能を有する高レベルスケーラＩＣにより置き換えることができるので、ユーザーは、ノートブックコンピュータのファンクションキーを介してコマンドを発行することができ、そのコマンドは、上記機構を介して内部命令ＩＴに変換されて、パネルコントローラ２０３に送信され、ディスプレイパネル２００にＰＩＰまたはＰＯＰイメージを表示させる。
【００２６】
留意すべきことは、本実施形態中の携帯デバイスが２つの電源供給モード：即ちノーマルモードおよび省電モードで使用することができることである。ノーマル電源供給モードでは、電流は、携帯デバイスシステム全てのデバイスに供給される。省電モードでは、外部高解像度ビデオ信号を表示するための基板にのみ電流が供給され、例えば、ディスプレイパネルおよびパネルコントローラにのみ電流が供給される。
【００２７】
図２Ｂは、本発明の第３典型的実施形態に係る携帯デバイスの機能ブロック図である。図２Ｂにおいて、同様に、ここでは、図２Ａ中のノートブックコンピュータと同じくノートブックコンピュータが携帯デバイスの例として使用される。本実施例中、更に、フレームバッファ２０４と、Ｉ/Ｏ切換えデバイス２０５と、ビデオＩ/Ｏデバイス２０６とを含む。
【００２８】
Ｉ/Ｏ切換えデバイス２０５が入力インターフェイス２０５１と、出力インターフェイス２０５２と、Ｉ/Ｏインターフェイス２０５３とを有し、それぞれディスプレイチップ２０１と、パネルコントローラ２０３と、ビデオＩ/Ｏデバイス２０６とに連結される。本実施形態中、ビデオＩ/Ｏデバイス２０６が、プロジェクターに接続されるＤ-ＳＵＢ（D-Subminiature）インターフェイスであるが、他の実施形態中、ビデオＩ/Ｏデバイスが他の同等のビデオインターフェイスであることもできる。
【００２９】
ユーザーが発表（briefing）のために、ノートブックコンピュータをプロジェクターに接続しようとする場合、内部ビデオ出力命令がノートブックコンピュータのファンクションキーを押下することにより発生され、ノートブックコンピュータが内部ビデオ出力命令を内部命令ＩＴに変換した後、その内部命令をＩ/Ｏ切換えデバイス２０５に送信する。Ｉ/Ｏ切換えデバイス２０５が内部命令ＩＴに応答して内部ビデオＩＶＳをＤ−ＳＵＢインターフェイス２０６に送信する。
【００３０】
ノートブックコンピュータがモニターとして使用される時、ビデオ入力インターフェイス２０２が高解像度ＤＶＤプレーヤーまたは電子ゲームコンソールの高解像度出力ビデオに連結される。この場合、ノートブックコンピュータのファンクションキーが押下された後、パネルコントローラ２０３が外部ビデオＯＶＳおよびディスプレイチップ２０１により提供された内部ビデオＩＶＳの両方を受信し、外部ビデオＯＶＳおよび内部ビデオＩＶＳがフレームバッファ２０４に記録されて統合され、ディスプレイパネル２００がＰＩＰまたはＰＯＰを表示する（present）ことができる。
【００３１】
更に、本実施形態中のＤ−ＳＵＢインターフェイス２０６が外部ビデオに連結することもできる。例えば、ノートブックコンピュータがモニターとして使用される時、先ず、ユーザーが対応する信号源をＤ−ＳＵＢインターフェイス２０６に連結し、その後、ユーザーが、ノートブックコンピュータのファンクションキーを介してＤ−ＳＵＢ入力コマンドを発行する。ノートブックコンピュータがＤ−ＳＵＢ入力コマンドを内部命令ＩＴに変換し、内部命令ＩＴをＩ/Ｏ切換えデバイス２０５に送信する。Ｉ/Ｏ切換えデバイス２０５が内部命令ＩＴに応答してＤ−ＳＵＢインターフェイス２０６により入力された信号をパネルコントローラ２０３に送信する。次に、パネルコントローラ２０３がその第２入力インターフェイス２０３２により受信されるビデオ信号をディスプレイパネル２００により許容可能なフォーマットに変換するので、ディスプレイパネル２００がＤ−ＳＵＢインターフェイス２０６により入力されたビデオを表示することができる。もちろん、ここでは、ビデオ入力インターフェイス２０２が外部ビデオＯＶＳを同時に受信することもできる。
【００３２】
本実施形態と上記実施形態の類似する点は、いずれのビデオ信号もパネルコントローラ２０３を介してディスプレイパネル２００に送信されることである。このように、パネルコントローラ２０３がＰＩＰまたはＰＯＰ機能を有する時、携帯デバイスがフレームバッファ２０４の補助を有するＰＩＰまたはＰＯＰ方式で外部ビデオＯＶＳ、内部ビデオＩＶＳまたはＤ−ＳＵＢインターフェイス２０６により入力されるビデオのうち２つを同時に表示することができる。
【００３３】
言及すべきことは、外部ビデオ信号表示機能と統合された携帯デバイスの実施パターンが上記実施形態中に記載されるが、当業者であれば分かるように、携帯デバイスの設計は製造業者により多様に異なるものであり、従って、本発明がノートブックコンピュータ中の応用に制限されるものではないことである。言い換えれば、本発明は外部ビデオを受信するビデオ入力インターフェイスと、ビデオ入力インターフェイスに連結されるパネルコントローラと、パネルコントローラにより受信される変換された外部ビデオを表示するディスプレイパネルとを含む携帯デバイスであれば応用可能である。
【００３４】
本発明のいくつかの実施形態は、当業者が本発明を容易に実施できるように、更に、下記のようになっている。
【００３５】
図３は、本発明の第４典型的実施形態に係る携帯デバイスの機能ブロック図である。本実施形態は、図１に説明される実施形態に類似しているが、本実施形態では更に、オーディオ処理が実施され、その詳細は、図３を参照されたい。
【００３６】
本実施形態中、ディスプレイパネル２００と、ディスプレイチップ１０１と、パネルコントローラ１０２と、ビデオ切換えデバイス１０３との他に、携帯デバイスが更に、組み込み型コントローラ３０１と、ビデオＩ/Ｏデバイス３０２と、Ｉ/Ｏ切換えデバイス３０３と、オーディオ出力デバイス３０４と、内部オーディオプロバイダ３０５と、オーディオ入力インターフェイス３０６と、オーディオ切換えデバイス３０７とを含む。
【００３７】
組み込み型コントローラ３０１がそれぞれ外部入力デバイス（例えば、キーボードまたはノートブックコンピュータのファンクションキー）と、ビデオ切換えデバイス１０３と、Ｉ/Ｏ切換えデバイス３０３と、オーディオ切換えデバイス３０７とに連結される。従って、ノートブックコンピュータが外部ビデオＯＶＳを表示するために使用される時、ノートブックコンピュータのキーボードまたはファンクションキーを押下するだけで、組み込み型コントローラ３０１が入力されたコマンドを受信してから、内部命令ＩＴを出力して、ビデオ切換えデバイス１０３を制御し、ディスプレイパネル１００にＬＶＤＳフォーマットの外部ビデオＯＶＳを受信させる。もちろん、組み込み型コントローラ３０１が、下記されるように、Ｉ/Ｏ切換えデバイス３０３およびオーディオ切換えデバイス３０７の切換えを制御することもできる。
【００３８】
本実施形態中、オーディオ入力インターフェイス３０６が、外部オーディオＯＡＳ（アナログステレオおよびＨＤＭＩデジタルオーディオを含む）を受信するステレオ入力インターフェイスである。オーディオ切換えデバイス３０７がそれぞれオーディオ入力インターフェイス３０６と、内部オーディオプロバイダ３０５と、オーディオ出力デバイス３０４と、組み込み型コントローラ３０１とに連結される。
【００３９】
本実施形態中、内部オーディオプロバイダ３０５が、ＡＣ９７エンコーダ/デコーダまたはＨＤオーディオエンコーダ/デコーダのような典型的サウンドエンコーダ/デコーダであり、ノートブックコンピュータにより使用され、内部オーディオＩＡＳを作成する（producing）が、他の実施形態中、内部オーディオプロバイダ３０５が他の仕様のオーディオデコーダであることもできる。更に、本実施形態中、オーディオ出力デバイス３０４がノートブックコンピュータの内蔵型スピーカーであるが、他の実施形態中、オーディオ出力デバイス３０４が外部スピーカーまたは他のタイプの放送デバイスであることもできる。
【００４０】
オーディオ切換えデバイス３０７がサウンドエンコーダ/デコーダにより発生された内部オーディオおよびステレオ入力インターフェイス３０６により受信された外部オーディオを受信し、また、オーディオ切換えデバイス３０７が更に内部命令ＩＴに基づいて内部オーディオまたは外部オーディオのいずれをオーディオ出力デバイス３０４に出力するかどうかを決定する。その操作は、下記する通りである。
【００４１】
ノートブックコンピュータのキーボードまたはファンクションキーが押下されて、ノートブックコンピュータが外部ビデオＯＶＳを表示可能となる時、組み込み型コントローラ３０１により発生された内部命令ＩＴがビデオ切換えデバイス１０３へ出力されるのと同様にオーディオ切換えデバイス３０７に出力される。オーディオ切換えデバイス３０７が内部命令ＩＴを受信する時、オーディオ切換えデバイス３０７がオーディオ入力インターフェイス３０６により入力された外部オーディオＯＡＳをオーディオ出力デバイス３０４に送信する。
【００４２】
本実施形態において留意すべきことは、ノートブックコンピュータが高解像度外部ビデオＯＶＳを表示し、且つその内蔵スピーカーを介して外部オーディオＯＡＳを再生するモニターとして使用される時、ノートブックコンピュータが省電モードで操作することができることである。例えば、省電モードでは、高解像度ビデオ信号を表示するための基板だけが電流を供給されるので、電流消費を減少させるが、例えば、ディスプレイパネル１００と、パネルコントローラ１０２と、ビデオ切換えデバイス１０３と、組み込み型コントローラ３０１と、ビデオＩ/Ｏデバイス３０２と、Ｉ/Ｏ切換えデバイス３０３と、オーディオ出力デバイス３０４と、オーディオ切換えデバイス３０７とのみが電力を供給される。もちろん、他の実施形態中、ノートブックコンピュータが、ノーマル電源供給モードで動作して、上記操作を実行することもできる。
【００４３】
ノートブックコンピュータのキーボードまたはファンクションキー、あるいは他のデフォルトキーを押下して、ノートブックコンピュータを再びノーマルモードに戻して内部ビデオＩＶＳを表示させる時、ここでは組み込み型コントローラ３０１が対応する内部命令ＩＴを発生し、内部命令ＩＴをビデオ切換えデバイス１０３およびオーディオ切換えデバイス３０７に出力するので、オーディオ切換えデバイス３０７が内部命令ＩＴを受信した後、オーディオ切換えデバイス３０７がオーディオ経路を切り換える。従って、内部オーディオプロバイダ（ＡＣ９７またはＨＤオーディオ）により発生される内部オーディオＩＡＳがオーディオ出力デバイス３０４へ出力される。
【００４４】
更に、本実施形態中のＩ/Ｏ切換えデバイス３０３が、それぞれディスプレイチップ１０１と、パネルコントローラ１０２と、ビデオＩ/Ｏデバイス３０２と、組み込み型コントローラ３０１に連結される。本実施形態中、ビデオＩ/Ｏデバイス３０２がＤ−ＳＵＢインターフェイスであるが、他の実施形態中、ビデオＩ/Ｏデバイス３０２が他のビデオインターフェイスであることができる。
【００４５】
Ｉ/Ｏ切換えデバイス３０３がディスプレイチップ１０１および内部命令ＩＴにより提供される出力ビデオ信号を受信し、また、Ｉ/Ｏ切換えデバイス３０３が更に、内部命令ＩＴに基づいてビデオ信号をビデオＩ/Ｏデバイス３０２に出力するか、またはビデオＩ/Ｏデバイス３０２により受信される外部ビデオ信号をパネルコントローラ１０２に出力する。その操作は、例をともなって下記する通りである。
【００４６】
ノートブックコンピュータのキーボードまたはファンクションキーが押下されて、ノートブックコンピュータにビデオを外部ディスプレイデバイス（例えば、プロジェクター）へ出力させる時、組み込み型コントローラ３０１が対応する内部命令ＩＴを出力して、Ｉ/Ｏ切換えデバイス３０３を制御するので、ディスプレイチップ１０１により発生される出力ビデオ信号（ＲＧＢｏｕｔ）をビデオＩ/Ｏデバイス（Ｄ−ＳＵＢインターフェイス）３０２を介して外部ディスプレイデバイスに出力することができる。
【００４７】
ノートブックコンピュータのキーボードまたはファンクションキーが押下されて、ノートブックコンピュータにビデオＩ/Ｏデバイス（Ｄ−ＳＵＢインターフェイス）３０２を介して外部ビデオ信号を受信させる時、組み込み型コントローラ３０１が対応する内部命令ＩＴを発生するとともに、内部命令ＩＴをＩ/Ｏ切換えデバイス３０３およびビデオ切換えデバイス１０３に出力するので、ビデオＩ/Ｏデバイス３０２から入力されたビデオ信号がパネルコントローラ１０２に送信される。その後、パネルコントローラ１０２が受信した信号をディスプレイパネル１００にとって許容可能なＬＶＤＳフォーマットに変換し、且つビデオ切換えデバイス１０３が切換えを行うので、ディスプレイパネル１００がパネルコントローラ１０２により出力された信号を表示することができる。従って、本実施形態中の携帯デバイスがデスクトップコンピュータのモニターとして使用されることができる。
【００４８】
上記実施形態において、組み込み型コントローラ３０１が内部命令を作成することに使用されるが、当業者であれば分かるように組み込み型コントローラ３０１をサウスブリッジチップにより置き換えることができるが、ここでは記載しない。
【００４９】
図４は、本発明の第５典型的実施形態に係る携帯デバイスの機能ブロック図である。本実施形態は、図２に説明される第２実施形態に類似する。しかしながら、本実施形態中、オーディオ処理およびサウスブリッジチップが加えられており、その詳細は図４を参照されたい。
【００５０】
本実施形態中、ディスプレイパネル２００と、ディスプレイチップ２０１と、ビデオ入力インターフェイス２０２と、パネルコントローラ２０３との他に、携帯デバイスが更に、サウスブリッジチップ４０１と、ビデオＩ/Ｏデバイス４０２と、Ｉ/Ｏ切換えデバイス４０３と、オーディオ出力デバイス４０４と、内部オーディオプロバイダ４０５と、オーディオ入力インターフェイス４０６と、オーディオ切換えデバイス４０７とを含む。
【００５１】
サウスブリッジ４０１がそれぞれ外部入力デバイス（例えば、ノートブックコンピュータのキーボードまたはファンクションキー）と、パネルコントローラ２０３と、Ｉ/Ｏ切換えデバイス４０３と、オーディオ切換えデバイス４０７とに連結される。ノートブックコンピュータのキーボードまたはファンクションキーが押下されて、ノートブックコンピュータに外部ビデオＯＶＳを表示させる時、サウスブリッジチップ４０１により発生される内部命令ＩＴがパネルコントローラ２０３に送信されて、パネルコントローラ２０３を制御しビデオ経路の切換えを行うので、ディスプレイパネル２００がＬＶＤＳフォーマットの外部ビデオＯＶＳを受信することができる。
【００５２】
本実施形態中、オーディオ出力デバイス４０４と、内部オーディオプロバイダ４０５と、オーディオ入力インターフェイス４０６と、オーディオ切換えデバイス４０７との連結、ファンクションおよび操作は、図３に説明される実施例中のそれらに類似するので、改めて説明しない。更に、本実施形態中、ビデオＩ/Ｏデバイス４０２およびＩ/Ｏ切換えデバイス４０３の説明も、上記される第４実施形態中のそれらに類似するので、ここでは記載しない。
【００５３】
図２Ａ，図２Ｂ，図３，図４で説明される実施形態中のビデオ入力インターフェイス２０２およびビデオＩ/Ｏデバイス２０６，３０２，４０２は、使用するビデオアダプタにより異なるアダプタで提供されるビデオを全て受信することができる。図５は、本発明の第６典型的実施形態に係る携帯デバイスの機能ブロック図である。図５中の実施形態および図４中の実施形態の相違は、図４中のビデオ入力インターフェイス２０２が、図５中のＨＤＭＩインターフェイス５０１で置き換えられ、図４中のビデオＩ/Ｏデバイス４０２がＤＶＩインターフェイス５０２で置き換えられ、本実施形態中、更に、ＨＤＭＩ雄プラグをＤＶＩ雌ソケットに変換するビデオアダプタ５０３およびＤＶＩ雄プラグをＤ−ＳＵＢ雌ソケットに変換するアダプタ５０４が含まれる。
【００５４】
ユーザーがＤＶＩフォーマットで外部ビデオＯＶＳを入力し、それをノートブックコンピュータのスクリーン上に表示したければ、ＤＶＩビデオがＨＤＭＩ雄プラグをＤＶＩ雌ソケットに変換するビデオアダプタ５０３をビデオＩ/Ｏデバイス４０２に連結することにより入力されることができる。ユーザーがＤ−ＳＵＢフォーマットのビデオを入力したければ、Ｄ−ＳＵＢフォーマットがＤＶＩ雄プラグをＤ−ＳＵＢ雌ソケットに変換するアダプタ５０４を介してノートブックコンピュータに入力されることができる。ビデオアダプタを使用する主な長所は、ノートブックコンピュータが製造される時、多様なビデオ入力が、Ｄ−ＳＵＢビデオに対する型（mould）およびＤＶＩビデオに対する型を使用する代わりに１つの型を使用することにより支援されることができるので、製品競合性を向上させることができ、その製造コストを減少させることができる。
【００５５】
以上のごとく、この発明を最良の実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【図面の簡単な説明】
【００５６】
【図１】本発明の第１典型的実施形態に係る携帯デバイスの機能ブロック図である。
【図２】（Ａ）は本発明の第２典型的実施形態に係る携帯デバイスの機能ブロック図である。（Ｂ）は本発明の第３典型的実施形態に係る携帯デバイスの機能ブロック図である。
【図３】本発明の第４典型的実施形態に係る携帯デバイスの機能ブロック図である。
【図４】本発明の第５典型的実施形態に係る携帯デバイスの機能ブロック図である。
【図５】本発明の第６典型的実施形態に係る携帯デバイスの機能ブロック図である。
【符号の説明】
【００５７】
１００  ディスプレイパネル
１０１  ディスプレイチップ
１０１１  出力インターフェイス
１０２  パネルコントローラ
１０２１  入力インターフェイス
１０２２  出力インターフェイス
１０３  ビデオ切換えデバイス
１０３１  第１ビデオインターフェイス
１０３２  第２ビデオインターフェイス
１０３３  ビデオ出力インターフェイス
２００  ディスプレイパネル
２０１  ディスプレイチップ
２０２  ビデオ入力インターフェイス
２０３  パネルコントローラ
２０３１  第１入力インターフェイス
２０３２  第２入力インターフェイス
２０３３  出力インターフェイス
２０４  フレームバッファ
２０５  Ｉ/Ｏ切換えデバイス
２０５１  入力インターフェイス
２０５２  出力インターフェイス
２０５３  Ｉ/Ｏインターフェイス
２０６  ビデオＩ/Ｏデバイス
３０１  組み込み型コントローラ
３０２  ビデオＩ/Ｏデバイス
３０３  Ｉ/Ｏ切換えデバイス
３０４  オーディオ出力デバイス
３０５  内部オーディオプロバイダ
３０６  オーディオ入力インターフェイス
３０７  オーディオ切換えデバイス
４０１  サウスブリッジチップ
４０２  ビデオＩ/Ｏデバイス
４０３  Ｉ/Ｏ切換えデバイス
４０４  オーディオ出力デバイス
４０５  内部オーディオプロバイダ
４０６  オーディオ入力インターフェイス
４０７  オーディオ切換えデバイス
５０１  ＨＤＭＩインターフェイス
５０２  ＤＶＩインターフェイス
５０３  ビデオアダプタ
５０４  アダプタ
ＩＡＳ  内部オーディオ
ＩＴ  内部命令
ＩＶＳ  内部ビデオ
ＯＡＳ  外部オーディオ
ＯＶＳ  外部ビデオ
【図１】
0005388425.tif 000002
【図２】
0005388425.tif 000003
【図３】
0005388425.tif 000004
【図４】
0005388425.tif 000005
【図５】
0005388425.tif 000006